(57)【要約】【課題】  使用者が意識することなく、ＴＶ放送とテレビ電話との両音量が同一となるように自動調整可能としたテレビ電話装置を提供する。【解決手段】  ＴＶ受信機４に接続されてこのＴＶ受信機４を映像モニタ装置及び音声出力装置として使用するようにしたテレビ電話装置１において、ＴＶ受信機４によるＴＶ放送受信時の音量を検出して記憶する第一の音量検出部（１１１，１１２，１０５，１１３）と、テレビ電話通話時におけるＴＶ受信機４からの音声出力の音量を検出する第二の音量検出部（１１１，１１２，１０５）と、第一の音量検出部による記憶音量と、第二の音量検出部による検出音量とを比較して、この比較結果に応じてＴＶ受信機４へ出力する音声信号のレベル制御をなす制御部（１０５，１１０）とを含むことを特徴とする。【選択図】      図１
2011171864.tif 000002
【特許請求の範囲】
【請求項１】
テレビジョン受信機に接続されてこのテレビジョン受信機をテレビ電話の映像モニタ装置及び音声出力装置として使用するようにしたテレビ電話装置であって、
前記テレビジョン受信機によるテレビジョン放送受信時の音量を検出して記憶する第一の音量検出手段と、
テレビ電話通話時における前記テレビジョン受信機からの音声出力の音量を検出する第二の音量検出手段と、
前記第一の音量検出手段による記憶音量と、前記第二の音量検出手段による検出音量とを比較して、この比較結果に応じて前記テレビジョン受信機へ出力する音声信号のレベル制御をなす制御手段と、
を含むことを特徴とするテレビ電話装置。
【請求項２】
テレビジョン受信機に接続されてこのテレビジョン受信機を映像モニタ装置及び音声出力装置として使用するようにしたテレビ電話装置であって、
前記テレビジョン受信機によるテレビジョン放送受信時の音量を検出して記憶する第一の音量検出手段と、
テレビ電話通話時における前記テレビジョン受信機からの音声出力の音量を検出する第二の音量検出手段と、
前記第一の音量検出手段による記憶音量と、前記第二の音量検出手段による検出音量とを比較して、この比較結果をテレビ電話通話相手装置へ通知する通知手段と、
を含むことを特徴とするテレビ電話装置。
【請求項３】
前記第一の検出手段は、
前記テレビジョン受信機のリモートコントローラによる音量操作を検出して、この音量操作時における前記テレビジョン受信機からの音声出力の音量を検出し、記憶するようにしたことを特徴とする請求項１または２記載のテレビ電話装置。
【請求項４】
前記制御手段により制御された音声信号のレベルを、テレビ電話通話相手先毎に記憶する記憶手段を、更に含み、
前記制御手段は、前記記憶手段から前記テレビ電話通話相手先に対応するレベルを読出して前記テレビジョン受信機へ出力する音声信号のレベル制御をなすことを特徴とする請求項１記載のテレビ電話装置。
【請求項５】
テレビジョン受信機に接続されてこのテレビジョン受信機を映像モニタ装置及び音声出力装置として使用するようにしたテレビ電話装置の音量制御方法であって、
前記テレビジョン受信機によるテレビジョン放送受信時の音量を検出して記憶する第一のステップと、
テレビ電話通話時における前記テレビジョン受信機からの音声出力の音量を検出する第二のステップと、
前記第一のステップによる記憶音量と、前記第二のステップによる検出音量とを比較して、この比較結果に応じて前記テレビジョン受信機へ出力する音声信号のレベル制御をなす制御ステップと、
を含むことを特徴とする音量制御方法。
【請求項６】
テレビジョン受信機に接続されてこのテレビジョン受信機を映像モニタ装置及び音声出力装置として使用するようにしたテレビ電話装置の音量制御方法であって、
前記テレビジョン受信機によるテレビジョン放送受信時の音量を検出して記憶する第一のステップと、
テレビ電話通話時における前記テレビジョン受信機からの音声出力の音量を検出する第二のステップと、
前記第一のステップによる記憶音量と、前記第二のステップによる検出音量とを比較して、この比較結果をテレビ電話通話相手装置へ通知する通知ステップと、
を含むことを特徴とする音量制御方法。
【請求項７】
前記第一のステップは、
前記テレビジョン受信機のリモートコントローラによる音量操作を検出するステップと、
この音量操作時における前記テレビジョン受信機からの音声出力の音量を検出して記憶するステップとを有することを特徴とする請求項５または６記載の音量制御方法。
【請求項８】
前記制御ステップにより制御された音声信号のレベルを、テレビ電話通話相手先毎に記憶手段に記憶する記憶ステップと、
前記記憶手段から前記テレビ電話通話相手先に対応するレベルを読出して前記テレビジョン受信機へ出力する音声信号のレベル制御をなすステップとを、
更に含むことを特徴とする請求項６記載の音量制御方法。
【発明の詳細な説明】
【技術分野】
【０００１】
本発明はテレビ電話装置及びその音量制御方法に関し、特にテレビジョン受信機に接続されてこのテレビジョン受信機を映像モニタ装置及び音声出力装置として使用するようにしたテレビ電話装置及びその音量制御方法に関するものである。
【背景技術】
【０００２】
本発明に関連するこの種のテレビ電話装置について、図６を参照しつつ説明する。図６を参照すると、テレビ電話装置６００には、使用者を撮像するためのビデオカメラ２と、同じく使用者の音声を取得するマイクロフォン３とが接続されている。また、このテレビ電話装置６００には、通話相手の映像と音声を出力するために、一般のテレビジョン（ＴＶ）受信機４が接続されており、このＴＶ受信機４が、テレビ電話の映像モニタ装置及び音声出力装置として使用されるようになっている。
【０００３】
ビデオカメラ２は通話者を撮影し、そのデータをビデオ・デコーダ６０１に送信する。ビデオ・デコーダ６０１でデジタル信号に変換された映像データは、映像・音声コーデック６０３に入力される。マイクロフォン３に入力された音声は、Ａ／Ｄコンバータ６０２にてデジタル信号に変換され、映像・音声コーデック６０３に送信される。
【０００４】
映像・音声コーデック６０３では、ネットワークＩ／Ｆ（インタフェース）６０４の仕様に合わせて、映像データをＭＰＥＧ２／ＭＰＥＧ４／Ｈ．２６４などのデータ形式に、音声データをＧ．７１１などのデータ形式に変換し、変換されたデータをネットワークＩ／Ｆ６０４に送信する。ネットワークＩ／Ｆ６０４はＩ／Ｐネットワーク網に接続され、送信データを通話相手に送信する。
【０００５】
Ｉ／Ｐネットワーク網からネットワークＩ／Ｆ６０４を介して受信された通話相手からの受信データは、映像・音声コーデック６０７でデータ形式を変換された後、映像データがビデオ・エンコーダ６０８に、音声データがＤ／Ａコンバータ６０９に、それぞれ送信される。ビデオ・エンコーダ６０８では、映像データをテレビジョン６４０の入力信号に合わせてＮＴＳＣ信号などに変換し、映像信号をＴＶ受信機４の外部入力端子に出力する。
【０００６】
また、映像・音声コーデック６０７から出力される音声データは、Ｄ／Ａコンバータ６０９に入力される。Ｄ／Ａコンバータ６０９でアナログ信号に変換された音声信号は、テレビジョン６４０の外部入力端子に入力され、ＴＶ受信機４の内蔵スピーカから音声出力される。
【０００７】
ＣＰＵ６０５は、ビデオ・デコーダ６０１、Ａ／Ｄコンバータ６０２、ビデオ・エンコーダ６０８、Ｄ／Ａコンバータ６０９、映像・音声コーデック６０３，６０７の各種制御を行うものであるが、音声データのモニタ機能は行っていないものとする。
【０００８】
なお、ＴＶ受信機能とテレビ電話機能との両機能を備えた通信装置や通信端末の例として、特許文献１〜３などが挙げられる。これら特許文献に開示の通信装置や通信端末は、上述したような本発明が対象とする装置、すなわち、ＴＶ受信機に接続されてこのＴＶ受信機を映像モニタ装置及び音声出力装置として使用するようにしたテレビ電話装置ではない。
【先行技術文献】
【特許文献】
【０００９】
【特許文献１】ＷＯ２００４／０８４５２７号公報
【特許文献２】特開平０７−１８４１７４号公報
【特許文献３】特開平２００９−０６０２７７号公報
【発明の概要】
【発明が解決しようとする課題】
【００１０】
図６に示した本発明に関連するテレビ電話装置においては、次のような課題がある。すなわち、ＴＶ受信機内部のチューナから出力されるＴＶ放送の音量とテレビ電話装置の音声出力のレベルが異なることがあるため、テレビ電話の着信がある毎に使用者がＴＶ受信機の音量を手動で調整しなければならないという課題がある。
【００１１】
本発明の目的は、使用者が意識することなく、ＴＶ放送とテレビ電話との両音量が同一となるように自動調整可能としたテレビ電話装置及びその音量制御方法を提供することである。
【課題を解決するための手段】
【００１２】
本発明によるテレビ電話装置は、
テレビジョン受信機に接続されてこのテレビジョン受信機をテレビ電話の映像モニタ装置及び音声出力装置として使用するようにしたテレビ電話装置であって、
前記テレビジョン受信機によるテレビジョン放送受信時の音量を検出して記憶する第一の音量検出手段と、
テレビ電話通話時における前記テレビジョン受信機からの音声出力の音量を検出する第二の音量検出手段と、
前記第一の音量検出手段による記憶音量と、前記第二の音量検出手段による検出音量とを比較して、この比較結果に応じて前記テレビジョン受信機へ出力する音声信号のレベル制御をなす制御手段と、
を含むことを特徴とする。
【００１３】
本発明による他のテレビ電話装置は、
テレビジョン受信機に接続されてこのテレビジョン受信機をテレビ電話の映像モニタ装置及び音声出力装置として使用するようにしたテレビ電話装置であって、
前記テレビジョン受信機によるテレビジョン放送受信時の音量を検出して記憶する第一の音量検出手段と、
テレビ電話通話時における前記テレビジョン受信機からの音声出力の音量を検出する第二の音量検出手段と、
前記第一の音量検出手段による記憶音量と、前記第二の音量検出手段による検出音量とを比較して、この比較結果をテレビ電話通話相手装置へ通知する通知手段と、
を含むことを特徴とする。
【００１４】
本発明による音量制御方法は、
テレビジョン受信機に接続されてこのテレビジョン受信機を映像モニタ装置及び音声出力装置として使用するようにしたテレビ電話装置の音量制御方法であって、
前記テレビジョン受信機によるテレビジョン放送受信時の音量を検出して記憶する第一のステップと、
テレビ電話通話時における前記テレビジョン受信機からの音声出力の音量を検出する第二のステップと、
前記第一のステップによる記憶音量と、前記第二のステップによる検出音量とを比較して、この比較結果に応じて前記テレビジョン受信機へ出力する音声信号のレベル制御をなす制御ステップと、
を含むことを特徴とする。
【００１５】
本発明による他の音量制御方法は、
テレビジョン受信機に接続されてこのテレビジョン受信機を映像モニタ装置及び音声出力装置として使用するようにしたテレビ電話装置の音量制御方法であって、
前記テレビジョン受信機によるテレビジョン放送受信時の音量を検出して記憶する第一のステップと、
テレビ電話通話時における前記テレビジョン受信機からの音声出力の音量を検出する第二のステップと、
前記第一のステップによる記憶音量と、前記第二のステップによる検出音量とを比較して、この比較結果をテレビ電話通話相手装置へ通知する通知ステップと、
を含むことを特徴とする。
【発明の効果】
【００１６】
本発明によれば、ＴＶ放送受信時の音量とテレビ電話通話時との音量が同一になるように自動的に調整しているので、使用者に手動でＴＶ受信機の音量の調整を行わせることをなくすことができるという効果がある。
【図面の簡単な説明】
【００１７】
【図１】本発明の一実施の形態を示すブロック図である。
【図２】本発明の一実施の形態において、ＴＶ放送受信時の音量を検出するための動作を示すフローチャートである。
【図３】本発明の一実施の形態において、テレビ電話時の音量を調整するための動作を示すフローチャートである。
【図４】本発明の他の実施の形態を示すブロック図である。
【図５】本発明の他の実施の形態において、テレビ電話時の音量を調整するための動作を示すフローチャートである。
【図６】本発明に関連するテレビ電話装置の例を示すブロック図である。
【発明を実施するための形態】
【００１８】
以下に、図面を参照して本発明の実施の形態について説明する。図１は本発明の一実施の形態を示すブロック図である。図１において、本発明の一実施の形態によるテレビ電話装置１は、ＴＶ受信機４の音声出力をモニタするためのマイクロフォン１１１とＡ／Ｄコンバータ１１２とを具備している。
【００１９】
ＣＰＵ１０５は、ＴＶ放送視聴時のＴＶ受信機４のスピーカ音声出力をマイクロフォン１１１により取込み、その音量レベルを測定してメモリ１１３に記憶する。テレビ電話通話時には、ＣＰＵ１０５は、マイクロフォン１１１により、テレビジョン１４０のスピーカ音声出力を取込み、その音量レベルを測定し、メモリ１１３に記憶したＴＶ放送視聴時の音量と比較し、両音量が同一になるように出力アンプ１１０のゲインを調整する。
【００２０】
このようにして、本発明では、ＴＶ放送視聴時のＴＶ受信機４における音量とテレビ電話通話時の音量とが同一になるように自動的に調整しているので、使用者に手動でＴＶ受信機４の音量の調整を行わせることをなくすことができる。
【００２１】
上記は本発明の概略説明であったが、以下に、より詳細に説明する。図１において、ビデオカメラ２は、通話者を撮影してそのデータをビデオ・デコーダ１０１に送信する。ビデオ・デコーダ１０１でデジタル信号に変換された映像データは、映像・音声コーデック１０３に入力される。マイクロフォン３に入力された音声は、Ａ／Ｄコンバータ１０２にてデジタル信号に変換され、映像・音声コーデック１０３とＣＰＵ１０５に送信される。
【００２２】
映像・音声コーデック１０３では、ネットワークＩ／Ｆ１０４の仕様に合わせて、映像データをＭＰＥＧ２／ＭＰＥＧ４／Ｈ．２６４などのデータ形式に、音声データをＧ．７１１などのデータ形式に、それぞれ変換し、これら変換データをネットワークＩ／Ｆ１０４に送信する。ネットワークＩ／Ｆ１０４はＩ／Ｐネットワーク網に接続され、送信データを通話相手に送信する。
【００２３】
一方、Ｉ／Ｐネットワーク網からネットワークＩ／Ｆ１０４を介して受信された通話相手からの受信データは、映像・音声コーデック１０７でデータ形式を変換された後、映像データがビデオ・エンコーダ１０８に、音声データがＤ／Ａコンバータ１０９に、それぞれ送信される。
【００２４】
ビデオ・エンコーダ１０８では、映像データをＴＶ受信機４の入力信号に合わせてＮＴＳＣ信号などに変換し、映像信号をＴＶ受信機４の外部入力端子に出力する。また、映像・音声コーデック１０７から出力される音声データは、ＣＰＵ１０５とＤ／Ａコンバータ１０９とに入力される。Ｄ／Ａコンバータ１０９でアナログ信号に変換された音声信号は、出力アンプ１１０に入力される。
【００２５】
出力アンプ１１０からの音声信号はＴＶ受信機４の外部入力端子に入力され、ＴＶ受信機４の内蔵スピーカから音声出力される。出力アンプ１１０の利得は、ＣＰＵ１０５により調整可能である。また、出力アンプ１１０の利得設定は、ＣＰＵ１０５に接続されたメモリ１１３に保存されるものとする。
【００２６】
このテレビ電話装置１には、環境音測定用のマイクロフォン１１１が具備されており、このマイクロフォン１１１の出力信号は、Ａ／Ｄコンバータ１１２でデジタル信号に変換されてＣＰＵ１０５に入力される。
【００２７】
更に、テレビジョン用リモコン１５０からの操作信号は、ＴＶ受信機４に入力されて、ＴＶ受信機４の各種操作が行われるが、同時に、テレビ電話装置１のリモコン受光部１０６にも入力されて、当該リモコンの操作内容がＣＰＵ１０５に送信される。
【００２８】
以上、詳細に実施例の構成を述べたが、図１のビデオカメラ２、マイクロフォン３、ＴＶ受信機４及びテレビジョン用リモコン５は、当業者にとって良く知られており、また、本発明とは直接関係しないので、その詳細な説明は省略するものとする。
【００２９】
なお、上記実施の形態では、音声出力をＤ／Ａコンバータ１０９にてアナログ信号に変換し、出力アンプ１１０で利得調整を行い、ＴＶ受信機４にアナログ出力を行っているが、利得調整にデジタル・ボリュウムを使用し、ＴＶ受信機４にデジタル信号を出力しても良いものである。
【００３０】
次に、図１のテレビ電話装置１の音量調整の動作を、図２及び図３に示すフローチャートを使用して説明する。先ず、図２のフローチャートに基づいて、使用者がテレビ電話装置１によるテレビ電話通話を行わず、ＴＶ受信機４によるＴＶ放送を視聴している状態の音声出力レベルを測定する。
【００３１】
テレビジョン用リモコン５の操作をＣＰＵ１０５で監視し、このリモコン５のボタンが押下されたことを検出し（ＳＴ２０１）、そのボタンが電源ボタン（ＳＴ２０２）もしくは音量アップボタン（ＳＴ２０３）であったら、ＣＰＵ１０５は、Ａ／Ｄコンバータ１１２の出力信号を読取り（ＳＴ２０４）、マイクロフォン１１１で収音された音声（ＴＶ受信機４の出力音声）の音量が、有音／無音閾値α以上か判断する（ＳＴ２０５）。
【００３２】
閾値α以上の入力がある場合には、ＴＶ受信機４の電源がオンされていて、使用者がＴＶ放送を視聴していると判定する。音量が閾値α以下であった場合には、ＴＶ受信機４の電源がオフされたと判定して処理を終了する。
【００３３】
ＴＶ受信機４がテレビ放送試聴状態と判定された場合、ＣＰＵ１０５は、Ａ／Ｄコンバータ１１２の出力値を読込み（ＳＴ２０６）、一定時間の音量の平均値Ｖave1を算出した後（ＳＴ２０７）、処理を終了する。音量の平均値Ｖave1はメモリ１１３に保持される。
【００３４】
音量変更の際に、音量アップのときにのみ処理を行い、音量ダウンでは処理を行わないのは、音量ダウンが一時的なミュート処理によるものである可能性があるためである。
【００３５】
次に、テレビ電話通話時の動作を、図３に示すフローチャートを使用して説明する。テレビ電話通話状態になったら（ＳＴ３０１）、ＣＰＵ１０５は、映像・音声コーデック１０７の音声出力を読込み（ＳＴ３０２）、相手の発音があるかどうか判定する（ＳＴ３０３）。相手側の発音が有る場合には、ＣＰＵ１０５は、Ａ／Ｄコンバータ１０２のデータを読出し（ＳＴ３０４）、自身側の発音があるかどうか判定する（ＳＴ３０５）。
【００３６】
自身側の発音がない場合には、マイクロフォン１１１で収音された音は、ＴＶ受信機４のスピーカから出力された相手側音声と判断し、ＣＰＵ１０５は、Ａ／Ｄコンバータ１１２のデータを読出し（ＳＴ３０６）、相手側音声の平均値Ｖave2を算出する（ＳＴ３０７）。
【００３７】
そして、メモリ１１３に保存されたテレビ放送受信時の音量の平均値Ｖave1と相手音声の平均値Ｖave2とを比較し（ＳＴ３０８）、ＴＶ放送音量より相手音声が小さい場合には、ＣＰＵ１０５は、出力アンプ１１０の利得を上げ（ＳＴ３０９）、ＴＶ受信機４のスピーカから出力される相手音声の音量を大きくする。逆に、ＴＶ放送音量より相手音声が大きい場合には、ＣＰＵ１０５は、出力アンプ１１０の利得を下げ（ＳＴ３１０）、ＴＶ受信機４のスピーカから出力される相手音声の音量を小さくする。
【００３８】
この処理を通話終了（ＳＴ３１１）まで繰り返して行うことによって、テレビ電話音声の音量をＴＶ放送受信時の音量に近づけることができることになるのである。
【００３９】
通話終了時には、最終的に設定した出力アンプの利得をメモリ１１３に保存しておき、次回のＴＶ電話時の初期値として使用することにより、次回の通話からは、最初から最適音量で通話が可能となる。また、相手先のマイクの感度や相手先の通話者とマイクの距離、回線の状況によってテレビ電話の音量が異なる場合があるため、利得設定を相手先別に保存・変更する構成としても良いことは明白である。
【００４０】
このように、ＴＶ放送受信時の音量とテレビ電話通話時の音量とが同一になるよう自動的に調整しているので、使用者に手動でＴＶ受信機の音量の調整を行わせる必要がなくなる。また、通話者の声の大きさや回線状況が異なり、送信されてくる音量レベルが異なる場合でも、ＴＶ放送受信時の音量に自動調整できるので、通話者毎にテレビジョンの音量を調整する手間を省くことができる。
【００４１】
本発明の他の実施の形態として、その基本的構成は上記の通りであるが、音声のレベル調整のために、出力アンプの利得調整を行うのではなくて、通話相手先のマイク感度の調整をなすようにしても良い。その構成を図４に示している。
【００４２】
図４の構成と図１の構成とを比較すると、図１における出力アンプ１１０が削除されて、マイクロフォン３の出力に接続されたマイクアンプ４１０が追加されている構成となっており、このマイクアンプ４１０は、ＣＰＵ４０５より利得調整が可能となっている。
【００４３】
また、ＣＰＵ４０５は、ネットワークＩ／Ｆ４０４に接続されてＩ／Ｐネットワーク網を介して通話相手先のＣＰＵ（４０５）と通信が可能であるものとする。なお、本テレビ電話装置４００を構成する他の構成要素は、図１に示したテレビ電話装置１の構成要素と同一であり、各要素の３桁の符号の末尾を同一として示している。
【００４４】
本実施の形態においても、ＴＶ放送試聴時の音量測定は、先の実施の形態で説明した図２の手順で実施されるものとする。
【００４５】
次に、テレビ電話通話時の動作を、図５に示すフローチャートを使用して説明する。ＳＴ５０１からＳＴ５０８までの動作は、図３のＳＴ３０１からＳＴ３０８までの動作と同一であり、よってその説明は省略する。本実施の形態では、相手先のマイクアンプ４１０の利得を調整することにより、音量の調整を行うことになる。
【００４６】
ＴＶ放送音量より相手音声が小さい場合には、ＣＰＵ４０５は、相手先のＣＰＵ４０５に対して、相手先のマイクアンプ４１０の利得を上げるようネットワークＩ／Ｆを介して通知を出し（ＳＴ５０９）、通知を受け取った相手先のＣＰＵ４０５は、当該マイクアンプの利得を上げる。
【００４７】
逆に、ＴＶ放送音量より相手音声が大きい場合には、ＣＰＵ４０５は、相手先のＣＰＵ４０５に対して、相手先のマイクアンプ４１０の利得を下げるようネットワークＩ／Ｆを介して通知を出し（ＳＴ５１０）、通知を受け取った相手先のＣＰＵ４０５は、当該マイクアンプの利得を下げる。
【００４８】
この処理を通話終了（ＳＴ５１１）まで繰り返して行うことにより、テレビ電話音声の音量をＴＶ放送受信時の音量に近づけることが可能となる。
【００４９】
このように、本実施の形態では、相手先のマイク入力感度が最適化されるために、相手先のマイクの感度が高く、音声が大きく音が歪む場合にも、調整を行うことができ、歪のない明瞭な通話を実現できる。
【符号の説明】
【００５０】
１，４００  テレビ電話装置
２  ビデオカメラ
３，１１１，４１１  マイクロフォン
４  ＴＶ受信機
５  テレビジョン用リモコン
１０１，４０１  ビデオ・デコーダ
１０２，１１２，４０２，４１２  Ａ／Ｄコンバータ
１０３，１０７，４０３，４０７  映像・音声コーデック
１０４，４０４  ネットワークＩ／Ｆ
１０５，４０５  ＣＰＵ
１０６，４０６  リモコン受光部
１０８，４０８  ビデオ・エンコーダ
１０９，４０９  Ｄ／Ａ
１１０  出力アンプ
１１３，４１３  メモリ
【図１】
2011171864.tif 000003
【図２】
2011171864.tif 000004
【図３】
2011171864.tif 000005
【図４】
2011171864.tif 000006
【図５】
2011171864.tif 000007
【図６】
2011171864.tif 000008